(57)【特許請求の範囲】
【請求項１】
挿入部の先端に設けられた略円柱状の外面形状を有する先端部本体内に、処置具類の突出方向を変化させるための処置具起上台が回動自在に配置され、上記処置具起上台を回動駆動するために上記処置具起上台の回転軸に連結された駆動レバーが、上記先端部本体の外壁部分に凹んで形成された空間内に配置され、遠隔的に進退操作される操作ワイヤの先端が上記駆動レバーに連結された内視鏡の処置具起上装置において、
上記駆動レバーが収容された空間の外縁を囲んで、上記先端部本体の外周面から一定の深さだけ低くなった段差部を上記先端部本体に形成すると共に、上記駆動レバーが収容された空間の外表面部分をほぼ上記先端部本体の表面に沿って密閉するための密閉板を、その密閉板が沿う先端部本体側の面より小さな曲率半径の曲面に形成し、上記段差部に当接する上記密閉板の外縁部全面にシール剤を塗布して、上記密閉板を、その曲面の中央近傍の位置において、上記段差部に形成されたねじ孔にねじ込まれたビスによって上記段差部に押し付け、上記段差部に対し全面にわたり隙間のない状態に弾性変形させて上記先端部本体に固定したことを特徴とする内視鏡の処置具起上装置。
【請求項２】
上記ビスの頭部の裏面がテーパ状に形成され、そのビス頭によって押さえられる上記密閉板のねじ通し孔の周囲の部分が、上記ビス頭の裏面のテーパ面に沿うテーパ状に形成されている請求項１記載の内視鏡の処置具起上装置。
【請求項３】
上記先端部本体に着脱自在に被さった状態に取り付けられる先端キャップが設けられていて、上記ビスと上記密閉板とが、上記先端キャップの内周面位置より出っ張らないように上記先端部本体に取り付けられている請求項１又は２記載の内視鏡の処置具起上装置。
【発明の詳細な説明】
【０００１】
【発明の属する技術分野】
この発明は、内視鏡において処置具類の突出方向を変化させるための処置具起上装置に関する。
【０００２】
【従来の技術】
内視鏡の先端部本体に設けられた処置具起上台は、挿入部内に挿通された操作ワイヤを介して遠隔的に回動操作されるが、操作ワイヤは、汚液等が付着すると洗浄消毒が非常に困難である。
【０００３】
そこで、操作ワイヤ部分を防水構造にするために、処置具起上台の回転軸に連結した駆動レバーを先端部本体の外壁部分に形成された空間内に配置して、その空間内で操作ワイヤの先端を駆動レバーに連結し、その空間の外表面部分を先端部本体の表面に沿って密閉板で水密に密閉している。
【０００４】
【発明が解決しようとする課題】
上述のような密閉板は、先端部本体に当接する外縁部の全面にシール剤を塗布して、ビスによって先端部本体に固定される。したがって、密閉板は先端部本体の外面形状に合わせた曲面に形成されるが、密閉板に僅かな反りや歪み等があるとその外縁部が先端部本体から浮いてシール性が悪くなり、汚液の侵入によって操作ワイヤが汚染されてしまう場合がある。
【０００５】
そこで本発明は、処置具起上台の操作ワイヤ部分を確実な防水構造にすることができる内視鏡の処置具起上装置を提供することを目的とする。
【０００６】
【課題を解決するための手段】
上記の目的を達成するため、本発明の内視鏡の処置具起上装置は、挿入部の先端に設けられた略円柱状の外面形状を有する先端部本体内に、処置具類の突出方向を変化させるための処置具起上台が回動自在に配置され、上記処置具起上台を回動駆動するために上記処置具起上台の回転軸に連結された駆動レバーが、上記先端部本体の外壁部分に形成された空間内に配置され、遠隔的に進退操作される操作ワイヤの先端が上記駆動レバーに連結された内視鏡の処置具起上装置において、上記駆動レバーが収容された空間の外表面部分をほぼ上記先端部本体の表面に沿って密閉するための密閉板を、その密閉板が沿う先端部本体側の面より小さな曲率半径の曲面に形成し、上記先端部本体に当接する上記密閉板の外縁部全面にシール剤を塗布して、上記密閉板をビスによって上記先端部本体に押し付け固定したことを特徴とする。
【０００７】
なお、上記ビスの頭部の裏面がテーパ状に形成され、そのビス頭によって押さえられる上記密閉板のねじ通し孔の周囲の部分が、上記ビス頭の裏面のテーパ面に沿うテーパ状に形成されていてもよい。
【０００８】
また、上記密閉板が、その曲面の中央近傍の位置において上記ビスによって押し付け固定されるようにするとよい。
【０００９】
【発明の実施の形態】
図面を参照して本発明の実施の形態を説明する。
図２は、内視鏡の挿入部先端の平面図である。図示されていない挿入部可撓管の先端には遠隔操作によって屈曲する湾曲部１が形成されていて、対物光学系等を内蔵する先端部本体２が、湾曲部１の先端に連結されている。先端部本体２は、円柱状の金属素材を必要に応じて機械加工して形成されている。
【００１０】
３は観察窓、４は照明窓である。５は、図示されていない処置具挿通チャンネルに通された処置具類の先端部分の突出方向を任意に調整するための処置具起上台であり、先端部本体２に形成された溝６内に回動自在に配置されている。
【００１１】
先端部本体２には、弾性変形するプラスチック製の先端キャップ７が着脱自在に被さった状態に取り付けられており、係合部８に形成された凹凸部において両者が係合して、先端キャップ７が先端部本体２から外れない状態に保持されるようになっている。送気送水ノズル９は、先端キャップ７に形成されている。
【００１２】
溝６の外側に隣接する先端部本体２の外壁部分には、外面側から凹んだ形状に空間１０が形成されている。この部分については、先端キャップ７が取り外された状態の側面図である図３も参照して説明をする。
【００１３】
空間１０内には、処置具起上台５を回動駆動するためにの駆動レバー１１が配置されている。駆動レバー１１と処置具起上台５とは、駆動レバー１１と一部品として形成された回転軸１２によって連結され、回転軸１２を中心として一体的に回動するようになっている。
【００１４】
回転軸１２は、先端部本体２に形成された軸受孔に回転自在に嵌合しており、その嵌合部にはシール用のＯリング１３が装着されて、溝６側から空間１０側に水が伝わらないようになっている。
【００１５】
駆動レバー１１の先端部分には、操作ワイヤ１６の先端部分が連結されている。１５は、操作ワイヤ１６の先端に固着されて駆動レバー１１に形成された孔に嵌め込まれた連結駒であり、１７は、操作ワイヤ１６をガイドするために挿入部内に挿通配置されたガイドコイルである。
【００１６】
このような構成により、遠隔的に操作ワイヤ１６を進退操作すると、それによって回転軸１２を中心に駆動レバー１１が回動し、その運動が回転軸１２を介して処置具起上台５に伝えられ、処置具起上台５が回転軸１２を中心に回動する。
【００１７】
先端部本体２の外周面には、表面から浅く一定の深さだけ低くなった段差部２１が、空間１０の外縁部分を囲んで形成されている。図４は、段差部２１が明示された先端部本体２の正面断面図であり、１９は、処置具挿通チャンネルと溝６との間に形成された処置具通過孔である。
【００１８】
その段差部２１内には、図１、図２及び図３に示されるように、空間１０の外表面部分を先端部本体２の表面に沿って密閉するための例えばステンレス鋼板からなる密閉板２０が取り付け固定される。
【００１９】
その取り付け固定は、段差部２１と密閉板２０との当接面全面にシール剤（接着剤でもよい）を塗布してから、図１に示されるように、皿小ネジ２５を、密閉板２０に形成されたねじ通し孔２０ａに外側から通し、先端部本体２の段差部２１に形成されたねじ孔２２にねじ込むことによって行われる。
【００２０】
皿小ネジ２５は、頭部の裏面が例えば４５°の角度のテーパ状に形成されたビスであり、そのビス止めは、図３に示されるように、空間１０の前後二箇所において行われる。なお、図４に示されるように、ねじ孔２２の口元は、皿小ネジ２５の頭部裏面のテーパと同角度のテーパ状に面取りされている。
【００２１】
図５は密閉板２０の正面断面図であり、皿小ネジ２５が通されるねじ通し孔２０ａの周囲の部分２０ｂも、やはり皿小ネジ２５の頭部裏面に沿う角度のテーパ状に曲げて形成されている。
【００２２】
したがって、図１に示されるように、皿小ネジ２５をねじ孔２２にねじ込んで密閉板２０を先端部本体２に押圧固定したとき、皿小ネジ２５の頭部の表面が浮き上がったりせず、先端キャップ７を装着する際の障害になるような不都合が発生しない。
【００２３】
密閉板２０は、先端部本体２の段差部２１の円弧状表面に沿う曲面状に形成されているが、その曲面の半径は段差部２１の曲面の半径より少しだけ小さく形成されている。即ち、図５と図４に示されるｒとＲが、ｒ＜Ｒという関係にある。そして、ねじ通し孔２０ａは密閉板２０の曲面上の中央近傍の位置に形成されている。
【００２４】
したがって、密閉板２０を単に段差部２１に沿わせただけの状態では、密閉板２０の中間部分が段差部２１の表面から浮く場合があるが、皿小ネジ２５を締め付けることによって、密閉板２０が弾性変形し、段差部２１に対して全面にわたって隙間のない状態に押し付け固定される。
【００２５】
【発明の効果】
本発明によれば、処置具起上台を駆動するための駆動レバーが収容された空間の外表面部分を密閉するための密閉板を、その密閉板が沿う先端部本体の面より小さな曲率半径の曲面に形成し、その密閉板をビスによって先端部本体に押し付け固定したことにより、密閉板が弾性変形して先端部本体側の面に対して浮き上がることなく密着するので、駆動レバーが収容された空間に外から水が入らず、操作ワイヤ部分を確実に防水することができる。
【図面の簡単な説明】
【図１】本発明の実施の形態の先端部本体に密閉板が取り付けられた状態の正面断面図である。
【図２】本発明の実施の形態の挿入部先端の一部を切除して示す平面図である。
【図３】本発明の実施の形態の先端キャップが取り外された状態の挿入部先端の側面図である。
【図４】本発明の実施の形態の先端部本体の正面断面図である。
【図５】本発明の実施の形態の密閉板の正面断面図である。
【符号の説明】
２  先端部本体
５  処置具起上台
６  溝
１０  空間
１１  駆動レバー
１２  回転軸
１６  操作ワイヤ
２０  密閉板
２０ａ  ねじ通し孔
２１  段差部
２２  ねじ孔
２５  皿小ネジ（ビス）
【図１】
0004014707.tif 000002
【図２】
0004014707.tif 000003
【図３】
0004014707.tif 000004
【図４】
0004014707.tif 000005
【図５】
0004014707.tif 000006